(57)【要約】【課題】ウエスト周りの状態によらずフィット性に優れ、ずり落ちを防ぐことができるテープ型使い捨ておむつを提供する。【解決手段】後身頃６には、股下部よりおむつの幅方向外側に延出されたサイドフラップ８が形成され、吸収体２２と、少なくとも一部が液透過性材料からなり、吸収体の表面を被覆するように配置されたトップシートと、液不透過性材料からなり、吸収体の裏面を被覆するように配置されたバックシートと、サイドフラップ８の両側縁からおむつの幅方向外側に延出するように配置された、少なくとも一対の止着テープ１１と、を備え、サイドフラップ８には、その背側端縁と脚側端縁との間の領域に切り込み線５０が形成されるとともに、切り込み線５０をサイドフラップ８の外面側から被覆するように、サイドフラップ８の幅方向に伸長可能な伸縮帯５２が貼付されているテープ型使い捨ておむつ１である。【選択図】図１Ａ
2010035726.tif 000002
【特許請求の範囲】
【請求項１】
後身頃と、股下部及び前身頃の各部で構成され、
前記後身頃には、前記股下部よりおむつの幅方向外側に延出されたサイドフラップが形成され、
吸収体と、少なくとも一部が液透過性材料からなり、前記吸収体の表面を被覆するように配置されたトップシートと、液不透過性材料からなり、前記吸収体の裏面を被覆するように配置されたバックシートと、前記サイドフラップの両側縁からおむつの幅方向外側に延出するように配置された、少なくとも一対の止着テープと、を備え、
前記サイドフラップには、その背側端縁と脚側端縁との間の領域に切り込み線が形成されるとともに、前記切り込み線を前記サイドフラップの外面側から被覆するように、おむつの幅方向に伸長可能な伸縮帯が貼付されているテープ型使い捨ておむつ。
【請求項２】
前記切り込み線が、おむつの幅方向と直交する方向に形成されている請求項１に記載のテープ型使い捨ておむつ。
【請求項３】
前記切り込み線が、前記背側端縁に達するように形成されている請求項１又は２に記載のテープ型使い捨ておむつ。
【請求項４】
前記伸縮帯の一方の端縁が、前記サイドフラップの前記背側端縁と一致するように配置されている請求項３に記載のテープ型使い捨ておむつ。
【請求項５】
前記切り込み線に代えてミシン目が形成された請求項１〜４のいずれか１項に記載のテープ型使い捨ておむつ。
【発明の詳細な説明】
【技術分野】
【０００１】
本発明は、テープ型使い捨ておむつに関する。更に詳しくは、ウエスト開口部からの尿漏れを有効に防止することが可能であるとともに、ウエスト周りの伸縮性が高く着用者のウエスト周りの状態によらずフィット性に優れ、おむつのずり落ちを防ぐことができるテープ型使い捨ておむつに関する。
【背景技術】
【０００２】
一般に、テープ型使い捨ておむつは、例えば、図１５に示すテープ型使い捨ておむつ１００のように、吸収体２２と、吸収体２２の表面を被覆するように配置され、少なくとも一部が液透過性材料からなるトップシート１８と、吸収体２２の裏面を被覆するように配置され、液不透過性材料からなるバックシート２０とを備えるとともに、前身頃２、股下部４及び後身頃６の各部から構成されており、後身頃６の左右の各側縁６ａ，６ｂから延出するように配置され、前身頃２と後身頃６とを固定するための止着テープ１１を更に備えた使い捨ておむつである。
【０００３】
このようなテープ型使い捨ておむつ１００によれば、着用者の排泄物はトップシート１８の液透過性の部分を透過して吸収体２２に吸収されるとともに、通常、液不透過性の材料で構成されるバックシート２０によって外部への漏洩が防止され、排泄物をおむつ内部に保持することができる。また、止着テープ１１によっておむつの前身頃２と後身頃６とを相互に固定することで、着用者に容易に装着させることができるという利点をも有するものである。なお、このテープ型使い捨ておむつ１００は、サイドシート１９を折り返すことにより立体ギャザー２６（２６ａ，２６ｂ）が形成され、また、おむつの長手方向に沿って二本の脚周り伸縮材４０が配置されている。
【０００４】
しかしながら、テープ型使い捨ておむつは、パンツ型おむつと比較すると、ウエスト周りや脚周りのフィット性が得られ難い傾向にあり、ウエスト周りや脚周りのフィット性を向上させることが課題となっている。このようなことから、ウエスト周り開口部に伸縮性に富むギャザー（ウエストギャザー）を形成するために、例えば、図１５に示すような、ウエスト周り開口部に沿って配置された弾性伸縮部材（ウエスト周り伸縮材４２）を備えたテープ型使い捨ておむつ１００が開示されている。
【０００５】
また近年、乳児用、あるいは高齢者・障害者用のテープ型使い捨ておむつにおいて、着用時の快適性や動きに対するフィット性をはかるために、ウエスト周りに伸縮性を付与する設計がなされている。乳幼児を例にとれば、ウエスト周りは常に一定ではなく、空腹より食後のほうが大きいし、お座りしているときと寝ているときでは、お座りしているときのほうが、腹部が縦に圧迫されて腹の下部の周長が大きくなる。従って、寝た状態で着用させたテープ型使い捨ておむつが、お座りのときに見ると、ウエスト周りが窮屈そうに見えたり、おむつの端縁が外側に折れ曲がったりし、着崩れする様子を見ることが往々にしてある。テープ型使い捨ておむつは、前記のごとくウエスト周り寸法が変化することや、着用者の運動、排泄物の重量などによって、下にずり落ちる傾向がある。
【０００６】
【特許文献１】特開２００４−５７４１６号公報
【特許文献２】特開２００５−２４５５５５号公報
【特許文献３】特開２００１−８９７０号公報
【発明の開示】
【発明が解決しようとする課題】
【０００７】
上記のような課題に対して、腰部から広い範囲で伸縮弾性体を配置したおむつが開示されている（例えば、特許文献１，２参照）。しかし、脚の付け根部分には、伸縮性弾性体が、配置されていないため、ずれ落ちに対しては強いが、製造方法が煩雑になってしまうという問題があった。すなわち、弾性体などを不織布やティッシュで挟んで、おむつの腰周りに取り付ける弾性シートを加工機に対して９０°回転させて、おむつに取り付ける工程が必要となるため、操業の難易度があがるという問題があった。このような工程があるために生産効率の向上が困難であった。
【０００８】
また更に、特許文献３に示すようなテープ型使い捨ておむつは、切り欠き部において伸縮素材（シート）が露出した状態となっている。そしてこの伸縮シートは、一般に通液性、親水性がなく、汗を吸わないことから、使用時にかぶれの原因となる問題があった。
【０００９】
このように、現在のところ、テープ型使い捨ておむつであって、ウエスト周りの伸縮性と、ずり落ちの両方を解決するテープ型使い捨ておむつは開示されておらず、そのような使い捨ておむつが切望されている。本発明は、ウエスト周りの状態によらずフィット性に優れ、ずり落ちを防ぐことができるテープ型使い捨ておむつを提供する。
【課題を解決するための手段】
【００１０】
本発明者は、上記課題を解決するため、鋭意検討した結果、以下の構成を採用することにより上記課題を達成することを見出し、本発明を完成するに至った。即ち、本発明は下記に示す通りである。
【００１１】
［１］後身頃と、股下部及び前身頃の各部で構成され、前記後身頃には、前記股下部よりおむつの幅方向外側に延出されたサイドフラップが形成され、吸収体と、少なくとも一部が液透過性材料からなり、前記吸収体の表面を被覆するように配置されたトップシートと、液不透過性材料からなり、前記吸収体の裏面を被覆するように配置されたバックシートと、前記サイドフラップの両側縁からおむつの幅方向外側に延出するように配置された、少なくとも一対の止着テープと、を備え、前記サイドフラップには、その背側端縁と脚側端縁との間の領域に切り込み線が形成されるとともに、前記切り込み線をサイドフラップの外面側から被覆するように、おむつの幅方向に伸長可能な伸縮帯が貼付されているテープ型使い捨ておむつ。
【００１２】
［２］前記切り込み線が、おむつの幅方向と直交する方向に形成されている前記［１］に記載のテープ型使い捨ておむつ。
【００１３】
［３］前記切り込み線が、前記背側端縁に達するように形成されている前記［１］又は［２］に記載のテープ型使い捨ておむつ。
【００１４】
［４］前記伸縮帯の一方の端縁が、前記サイドフラップの前記背側端縁と一致するように配置されている前記［３］に記載のテープ型使い捨ておむつ。
【００１５】
［５］前記切り込み線に代えてミシン目が形成された前記［１］〜［４］のいずれかに記載のテープ型使い捨ておむつ。
【発明の効果】
【００１６】
本発明のテープ型使い捨ておむつは、ウエスト開口部からの尿漏れを有効に防止することができるとともに、ウエスト開口部から臀部にかけてのウエスト周りのフィット性に優れている。即ち、立体ギャザーの外側に設けられたサイドフラップに切り込み線を設け、その切り込み線をおむつの外面側から被覆するように、おむつの幅方向に伸長可能な伸縮帯が貼付されている構成とすることにより、ウエスト周りのフィット性に優れている。このため、例えば、着用者が活発に動き回ることができる幼児等の場合であってもおむつがずり落ちにくくなっているとともに、着用者が飲食した際や座った状態であってもウエスト周りの締め付けを緩和することができる。また、伸縮帯は、切り込み線をおむつの外側（着用時に装着した場合の、おむつの外面側）から覆い、伸縮帯が着用者の肌に直接ふれることが少なく、肌のかぶれを防ぐことができる。
【発明を実施するための最良の形態】
【００１７】
以下、本発明のテープ型使い捨ておむつを実施するための最良の形態について、テープ型使い捨ておむつを例として具体的に説明する。但し、本発明はその発明特定事項を備えるテープ型使い捨ておむつを広く包含するものであり、以下の実施形態に限定されるものではない。図１Ａと図１Ｂはともに本発明のテープ型使い捨ておむつの一の実施形態を示す平面図であり、テープ型使い捨ておむつを展開し、トップシート側（着用時に装着した場合の、おむつの内面側）から見た状態を示す図である。図１Ａと図１Ｂは同じものであって、各部と各領域を説明するために便宜上分けているものである。図２Ａは発明のテープ型使い捨ておむつの一の実施形態を示す図１Ｂ中のＡ−Ａ’断面図である。図２Ｂは発明のテープ型使い捨ておむつの一の実施形態を示す図１Ｂ中のＢ−Ｂ’断面図である。
【００１８】
［１］定義等：
「テープ型使い捨ておむつ」とは、図１Ａ、図１Ｂ、図１４に示すテープ型使い捨ておむつ１のように、吸収体２２と、トップシート１８と、バックシート２０とを備え、後身頃６の左右の各側縁６ａ，６ｂから延出する部分に配置された、前身頃２と後身頃６とを固定するための止着テープ１１を更に備えた使い捨ておむつを意味するものとする。
【００１９】
「前身頃」とは、図１Ａ、図１Ｂ、図１４に示すように、着用者に装着した際に、着用者の腹側（身体前方）を覆う部分（図中符号２）、「股下部」とは、着用者に装着した際に、着用者の股下を覆う部分（図中符号４）、「後身頃」とは、着用者に装着した際に、着用者の背側（身体後方）を覆う部分（図中符号６）を意味するものとする。
【００２０】
「おむつの長手方向」とは、おむつを展開した状態におけるおむつの長手方向を意味するものとし、例えば、図１Ａ、図１Ｂ中においてはたて方向である。「おむつの幅方向」とは、図１Ａ、図１Ｂに示すようなおむつ１を展開した状態におけるおむつの長手方向と垂直な幅方向を意味するものとし、図１Ａ、図１Ｂ中においてはよこ方向である。
【００２１】
「背側端縁」とは、おむつの長手方向の一方の端縁に位置し、着用持に装着した際に、着用者の背側を覆う後身頃の上端縁を意味するものとする。例えば、図１Ａに示すようなテープ型使い捨ておむつ１を展開した状態における上端縁部分（背側端縁６５）で図示される。背側端縁と腹側端縁とでウエスト周り開口部を形成する。
【００２２】
「腹側端縁」とは、おむつの長手方向の他方の端縁に位置し、着用持に装着した際に、着用者の腹側を覆う前身頃の上端縁を意味するものとする。例えば、図１Ａに示すようなテープ型使い捨ておむつ１を展開した状態における下端縁部分（腹側端縁６６）で図示される。
【００２３】
「脚側端縁」とは、着用時に装着した際に、おむつの幅方向の両側縁である側縁の下端から股下部へと向かって湾曲した部分のことを意味するものとする。例えば、図１Ａ示すような本発明の一実施形態を示すテープ型使い捨ておむつ１を展開した状態の平面図においては、後身頃６の着用時に装着した際に、おむつの幅方向の両端縁である側縁６ａ，６ｂの下端から股下部へと向かって湾曲した脚側端縁６８（６８ａ，６８ｂ）が示されている。
【００２４】
「脚周り形成部」とは、おむつを着用した際に、着用者の脚の付け根部分を覆う部分であって、おむつ着用時の脚周りの開口部を形成する部分を意味するものとする。例えば、図１Ａに示すようなテープ型使い捨ておむつ１を展開した状態の平面図においては、脚周り形成部は、図１Ａの脚側端縁６８と、この脚側端縁６８から股下部４のおむつ幅方向の両側端を経て、前身頃のおむつ幅方向の両端縁付近にいたる部分を少なくとも含むものである。
【００２５】
［１−１］本発明のテープ型使い捨ておむつの構成：
図１Ａ、図１Ｂ、は本発明のテープ型使い捨ておむつの一実施形態を示す平面図である。ここで、図１Ａ、図１Ｂは、テープ型使い捨ておむつを展開し、トップシート側（着用時に装着した場合のおむつの内面側）から見た状態を示す模式図である。なお、図１Ａ、図１Ｂに示すテープ型使い捨ておむつ１は、上記した止着テープ１１を止め付けるためのフロントパッチ１３を、おむつの前身頃２の部分に更に備えている。図２Ａ、図２Ｂはそれぞれ本発明のテープ型使い捨ておむつの一実施形態を示す図１Ａ中のＡ−Ａ’断面図およびＢ−Ｂ’断面図である。図１４は本発明のテープ型使い捨ておむつの一実施形態を示すおむつ着用時の側面図である。
【００２６】
本発明のテープ型使い捨ておむつは、例えば、図１Ａ、図１Ｂ、図２Ａ、図２Ｂ、図１４で示されるテープ型使い捨ておむつ１のように、後身頃６と、股下部４及び前身頃２の各部で構成され、後身頃６には、股下部４よりおむつの幅方向外側に延出されたサイドフラップ８が形成され、吸収体２２と、少なくとも一部が液透過性材料からなり、吸収体２２の表面を被覆するように配置されたトップシート１８と、液不透過性材料からなり、吸収体の裏面を被覆するように配置されたバックシート２０と、サイドフラップ８の両側縁６ａ，６ｂからおむつの幅方向外側に延出するように配置された、少なくとも一対の止着テープと、を備えている。サイドフラップ８は後身頃６において、立体ギャザー２６の起立線４７から外側に向けて設けられている。
【００２７】
また本発明のテープ型使い捨ておむつにおいて、サイドフラップ８には、その背側端縁６５と脚側端縁６８との間の領域に切り込み線５０が形成されるとともに、切り込み線５０をサイドフラップ８の外面側から被覆するように、おむつの幅方向に伸長可能な伸縮帯５２が貼付されている。そしてサイドフラップ８は、おむつの幅方向の側縁６ａ，６ｂの、着用時に装着された場合の下端から股下部４へ向かっておむつの幅方向の内側に湾曲した、脚側端縁６８を有している。そして一対の止着テープ１１の間で、サイドフラップ８に切り込み線５０が設けられており、この切り込み線５０をおむつの外面側から被覆するようにして伸縮帯５２が伸縮可能に貼付されている。伸縮帯５２は伸縮帯固定部５１により貼付されており、この伸縮帯固定部以外は固定されていないため、伸縮帯５２の伸縮を妨げない。このことにより、従来のおむつに比して可動領域が拡大している。このため、着用者の体型によらず止着テープ１１とフロントパッチ１３で前身頃２と後身頃６とをしっかり固定することができる。
【００２８】
従来のテープ型使い捨ておむつでは、図１５に示すように、ウエスト周りの伸縮を調節するためにウエスト周り伸縮材４２のみが配置されていた。このような従来のテープ型使い捨ておむつは、ウエスト周りの隙間を一時的にできにくくするが、飲食前後や座った状態等の着用者のウエスト周りの状態によっては窮屈に感じる問題や、着用者の動きによっては次第に着崩れしてしまう問題があった。
【００２９】
本発明のテープ型使い捨ておむつは、ウエスト周り伸縮材によって形成されるギャザー（ウエストギャザー）が、後身頃の吸収体が配置されている領域に形成されており、更に伸縮帯５２の調節力が加わるために、図１４に示すように空腹時の腹部６２から満腹時の腹部６１にいたるまでのウエスト周りのフィット性に優れている。切り込み線５０が脚側端縁６８を含んでいないため、例えば、着用者が活発に動き回ることができる幼児等の場合であっても、図１４に示すように、脚側端縁６８（６８ｂ）は伸縮しないためにずり落ち防止効果を有しており、おむつがずり落ち難くなっている。このため、従来のテープ型使い捨ておむつに生じていた飲食前後や座った状態等の着用者のウエスト周りの状態によっては窮屈に感じる問題や、着用者の動きによっては次第に着崩れしてしまう問題を防ぐことができる。また、後身頃側における吸収体が着用者に密着するため、着用者の臀部を確実に包み込むことができ、ウエスト開口部からの尿漏れを有効に防止することができる。
【００３０】
図３は、本発明のテープ型使い捨ておむつの一の実施形態において、止着テープ１１をおむつの幅方向（図３中よこ方向）に引張ることにより切り込み線５０の両端を拡張し、伸縮帯５２が伸びた状態を示す平面図であり、サイドシート１９側（着用時に装着した場合の、おむつの内面側）から見た状態を示す一部拡大図である。またここで、図４は、本発明のテープ型使い捨ておむつの一の実施形態において、止着テープ１１をおむつの幅方向（図３中よこ方向）に引張ることにより切り込み線の両端を拡張し、伸縮帯５２が伸びた状態を示す平面図であり、カバーシート２４側（着用時のおむつの外面側）から見た状態を示す一部拡大図である。図３、図４に示すように、止着テープ１１の動きに合わせて伸縮帯５２が伸縮する。
【００３１】
図５は、止着テープ１１を前身頃２に設けられたフロントパッチ１３に固定しながら伸縮帯５２が伸縮する状態を説明する模式的説明図であり、カバーシート２４側（着用時のおむつの外面側）から見た状態を示す図である。図５に示すように、止着テープ１１をフロントパッチ１３のおむつの幅方向の中央部よりに固定することで伸縮帯５２の張力を強く働かせることができる。またその逆に、止着テープ１１をフロントパッチ１３のおむつの幅方向の外側よりに固定することで伸縮帯５２の張力を弱く働かせることができる。切り込み線５０によって、止着テープ１１の調節可能領を広くすることができる。こうして着用者のウエスト周りの個人差に応じて使用することができる。
【００３２】
本発明のテープ型使い捨ておむつの一実施形態において、切り込み線が上側の背側端縁に達するように形成されていることが好ましい。例えば、図１Ａ、図１Ｂに示すように、切り込み線５０が図中の上側の背側端縁６５に達するように形成されている。このとき、以下に示すような効果が得られる。図３、図４は図１、図２に示す本発明のテープ型使い捨ておむつの一実施形態のサイドフラップ８の一部拡大図である。この場合、装着時に伸縮帯５２の張力を働かせて図中下側（着用者の脚側の端縁方向）に向かって止着テープ１１を傾けることが容易になる。このように止着テープ１１を下側に傾けて着用することにより、腰部の密着度を高めることが容易となる。また、特に尿の背漏れが気になる着用者においては、テープ型の特徴を生かして後身頃６を着用者の背側に長く配分し、更に伸縮帯５２の張力を働かせて図中下側（脚端縁方向）に向かって止着テープ１１を傾けることで無理なく固定することができる。具体的には、図１Ａで示すサイドフラップ８の側縁６ａ，６ｂのおむつの長手方向における長さＷの１／６〜５／６の長さの範囲で切り込み線５０を設けることが好ましい。
【００３３】
また、切り込み線５０はおむつの幅方向と直交する方向に対して−１５°〜１５°の範囲で設けられることが好ましい。また、切り込み線５０が、おむつの幅方向と直交する方向に形成されていることが特に好ましい。切り込み線５０が傾斜している場合には、切り込み線５０のおむつ長手方向の長さ成分が、サイドフラップ８の側縁６ａ，６ｂのおむつの長手方向における長さの１／６〜５／６の長さの範囲で設けることが好ましい。
【００３４】
また図１１に示す本発明の他の実施形態のテープ型使い捨ておむつように、おむつの幅方向に対して切り込み線５０が直交するのではなく、−４５°〜４５°の範囲で傾斜させることもまた好ましい。おむつの長手方向に対して切り込み線５０のなす角度を−４５°〜４５°の範囲で傾斜させることにより、使用時に止着テープ１１をフロントシート１３に固定する際の留め方の自由度を高めることができる。
【００３５】
図６、図７はテープ型使い捨ておむつの一実施形態における後身頃の一部拡大模式的斜視図であり、テープ型使い捨ておむつを展開し、トップシート側（着用持のおむつのうち側）から見た図８中のＣ−Ｃ’断面での一部拡大模式的斜視図である。図７は、止着テープ１１をおむつの幅方向に引張ることにより切り込み線５０の両端を拡張した状態を示す図である。ウエスト周り伸縮材４２は、伸縮することにより左右に設けられた立体ギャザー２６の伸縮もこれに伴って伸縮する場合がある。ところが切り込み線５０の伸縮は立体ギャザー２６の外側にあるために立体ギャザー２６の伸縮に与える影響が小さい。また、図６、図７に示すように、切り込み線５０の伸縮は立体ギャザー２６の外側にあるため切り込み線５０から尿が漏れることはない。
【００３６】
図６、図７に示すように切り込み線５０はサイドフラップ８に切り込みを入れることで形成される。なお、図中の一実施形態おいてはサイドシート１９およびカバーシート２０でサイドフラップ８が形成されているが、これらの部材に切り込み線を設けることに限定しない。例えば、サイドフラップ８がトップシート１８及びバックシート２０で形成されている場合には、トップシート１８及びバックシート２０を共に切り込みを入れることで切り込み線が形成される。伸縮帯５２はバックシート２０側（着用時に装着した場合の、おむつの外面側）に設けることが好ましい。伸縮帯５２をバックシート２０側に設けることにより、ゴムなどの通気性が比較的に低い材質が着用者の肌に直接触れることを抑制して肌のかぶれを防ぐことができる。
【００３７】
図８および図９は本発明のテープ型使い捨ておむつの他の実施形態における切り込み線５０を模式的に示す平面図であり、それぞれトップシート１８側（着用時のおむつの内面側）、バックシート２０側（着用時に装着した場合の、おむつの外面側）から見た状態に対応している。このように、切り込み線５０が、図中上側（着用者の背側端縁）を除くように設けられた場合、テープの力が直接作用するサイドフラップ部８に伸縮性を付与することができるという効果が得られる。具体的にはサイドフラップ８の側縁６ａ，６ｂのおむつの長手方向における長さの１／６〜５／６の長さの範囲で切り込み線５０を設けることが好ましい。
【００３８】
また例えば、図１０、は本発明のテープ型使い捨ておむつの他の実施形態における切り込み線５０を模式的に示す平面図であり、トップシート１８側（着用時のおむつの内面側）から見た状態を示す。図１０に示すような複数の切り込み線５０を上下に整列させて、その隣接した切り込み線間の間隔を十分に短くすることによって使用時に容易に手で切断できるようすることも可能である。切り込み線５０をミシン目とすることもまた好ましい。ミシン目の繋がった部分が切断されることによって長くなると、伸縮帯５２の伸縮性が高まり伸縮性を高めることができ、着用者に応じた調節が可能となる。ミシン目は縦、横に複数並べて形成することにより、着用者に応じた段階的な調節が可能となる。
【００３９】
図１２は本発明のテープ型使い捨ておむつの他の実施形態における切り込み線５０を模式的に示す平面図であり、バックシート２０側（着用時に装着した場合の、おむつの外面側）から見た状態を示す。図１２に示すように、切り込み線５０を波線形状にしたものである。切り込み線５０が波線形状や曲線である場合には、切り込み線５０のおむつ長手方向の長さ成分が、サイドフラップ８の側縁６ａ，６ｂのおむつの長手方向における長さの１／６〜５／６の長さの範囲で設けることが好ましい。
【００４０】
図１０、図１１、図１２、図１３に示すように、切り込み線５０を複数設けることにより、止着テープ１１をフロントシート２０に固定する際に止着テープを固定する角度などの自由度が高まる。切り込み線５０を複数設ける際には図１０に示すように図中の上下左右方向に整列することもできるが、これに限定する事なく上下のみに整列することもできる。あるいは図１３に示すように複数の切り込み線５０を左右にのみ整列させて設けることも可能である。この切り込み線の長さや間隔、整列させる個数を適宜変更することで、様々な止着テープ１１をフロントシート２０に固定する際の自由度を生じさせることが可能となる。図１３に示すように複数の切り込み線５０の間隔を左右各２本または複数整列させてその隣接する切り込み線５０間を伸縮帯固定部５１で固定することも可能である。
【００４１】
以下、本発明のテープ型使い捨ておむつの構成部材について、各別に説明する。
【００４２】
［２］テープ型使い捨ておむつの構成部材：
［２−１］吸収体：
「吸収体」は、着用者の尿等を吸収し、保持するための部材であり、吸収性材料によって構成される。
【００４３】
「吸収性材料」としては、例えば、フラッフパルプ、高吸水性ポリマー（Ｓｕｐｅｒ  Ａｂｓｏｒｂｅｎｔ  Ｐｏｌｙｍｅｒ；以下、「ＳＡＰ」と記す。）、親水性シート等を挙げることができる。「フラッフパルプ」としては、木材パルプや非木材パルプを綿状に解繊したものを、「ＳＡＰ」としては、ポリアクリル酸ナトリウムを、「親水性シート」としては、ティシュ、吸収紙、親水化処理を行った不織布等を用いることが好ましい。
【００４４】
吸収体は、１種又は２種以上の吸収性材料を単層又は複層のマット状に成形したものを用いることが好ましい。中でも、フラッフパルプ１００質量部に対して、１０〜５００質量部のＳＡＰを併用したものが好ましい。中でも、フラッフパルプ１００質量部に対して、４０〜８０質量部のＳＡＰを併用したＳＡＰ比率が高い吸収体を用いた場合に、本発明の効果が発揮される。この際、ＳＡＰはフラッフパルプのマット中に混在させるか、フラッフパルプのマットの層間に層状に配置して用いればよい。
【００４５】
吸収体は、矩形状、砂時計型、ひょうたん型、Ｔ字型等、所望の形状に成形して用いることができる。吸収体は、ＳＡＰの脱落を防止し、形状安定性を付与するという目的から、親水性シートによって被包されていることが好ましい。通常、吸収体はトップシートとバックシートの間に挟みこまれ、両シートと一体化された状態で用いられる。
【００４６】
［２−２］トップシート：
トップシートは、着用者の尿等を透過させる必要から、その少なくとも一部（全部又は一部）が液透過性材料により構成される。
【００４７】
「液透過性材料」としては、織布、不織布、多孔性フィルム等を挙げることができる。中でも、ポリプロピレン、ポリエチレン、ポリエステル、脂肪族ポリアミド等の熱可塑性樹脂からなる不織布に親水化処理を施したものを用いることが好ましい。
【００４８】
「不織布」としては、エアスルー（カード熱風）、カードエンボス等の製法によって製造された不織布を好適に用いることができる。「親水化処理」は、界面活性剤を塗布、スプレー、含浸等させることにより行うことができる。
【００４９】
トップシートは、「少なくとも一部」、具体的には、トップシートを平面的に見た場合に、少なくとも吸収体の表面近傍は液透過性材料により構成されていることが好ましい。
【００５０】
なお、テープ型使い捨ておむつの着用者の肌側に位置するシートが全てトップシートによって構成されている必要はない。即ち、着用者の肌と接するシートが、トップシートを含む複数のシートによって構成され、トップシートと他のシートがシートの表面方向に向かって継ぎ合わされたような構造となっていてもよい。
【００５１】
例えば、図１Ａ，図１Ｂ、図２Ａ、図２Ｂ、図１４にテープ型使い捨ておむつ１を示す。おむつの幅方向中央部には液透過性材料からなるトップシート１８を配置し、おむつのサイドフラップ８部分には液の透過に対して抵抗性を示す通気撥水性材料からなるサイドシート１９を配置した例である。通気撥水性シートとしては、カードエンボス、スパンボンド等の製法により製造された不織布であってもよいが、防水性の高いＳＭＳ、ＳＭＭＳ等の不織布シートが更に好ましい。
【００５２】
［２−３］バックシート：
バックシートは、吸収体の裏面（おむつの装着時において着用者の肌から遠い側に位置する面）を被覆するように配置されるシートである。バックシートは、着用者の尿がおむつ外部に漏洩してしまうことを防止する必要から、液不透過性材料によって構成される。
【００５３】
バックシートの配置位置については特に制限はない。吸収体で吸収された尿の漏れを防止するという観点から、少なくとも吸収体の存在する部分にバックシートが配置されていることが好ましい。
【００５４】
バックシートを構成する液不透過性材料としては、例えば、ポリエチレン等の樹脂からなる液不透過性フィルム等を挙げることができ、中でも、微多孔性ポリエチレンフィルムを用いることが好ましい。この微多孔性ポリエチレンフィルムは、０．１〜数μｍの微細な孔が多数形成されており、液不透過性ではあるが透湿性を有するため、おむつ内部の蒸れを防止することができるという利点がある。
【００５５】
なお、図２Ａ、図２Ｂに示すように、バックシート２０の外表面側にカバーシート２４を貼り合わせてもよい。このカバーシートは、バックシートを補強し、バックシートの手触り（触感）を良好なものとするために用いられる。
【００５６】
カバーシートを構成する材料としては、例えば、織布、不織布等を挙げることができる。中でも、ポリエチレン、ポリプロピレン、ポリエステル等の熱可塑性樹脂からなる乾式不織布、湿式不織布を用いることが好ましい。
【００５７】
［２−４］立体ギャザー：
本発明のテープ型使い捨ておむつは、撥水性シートからなり、吸収体の両側に配置された少なくとも一対の立体ギャザーを備えていることが好ましい。
【００５８】
立体ギャザーの構成は、従来の使い捨ておむつ、その他のテープ型使い捨ておむつに使用される構成を採用することができる。例えば、図１Ｂ、図２Ｂに示すテープ型使い捨ておむつ１のように、撥水性シート３２の層間に伸縮材（立体ギャザー伸縮材３６）を挟み込んで固定し、その立体ギャザー伸縮材３６の収縮力によってギャザー（襞）を形成したもの等を好適に用いることができる。これらの例では、撥水性シートの折り返し部分に立体ギャザー伸縮材３６を挟み込んで固定した例である。
【００５９】
なお、立体ギャザーは、前記のように立体ギャザー用の撥水性シートを別途付設してもよいし、おむつを構成するシート材の一部によって形成してもよい。例えば、図２Ａ、図２Ｂに示すテープ型使い捨ておむつ１は、サイドシート１９を構成する撥水性シートの一部によって立体ギャザー２６ａ，２６ｂを形成した例である。撥水性シートは、カードエンボス、スパンボンド等の製法により製造された不織布であってもよいが、防水性の高いＳＭＳ、ＳＭＭＳ等の不織布シートが更に好ましい。
【００６０】
［２−５］止着テープ：
本発明のテープ型使い捨ておむつは、図１Ａ、図１Ｂに示すように、後身頃６の左右の各側縁６ａ，６ｂから延出するように配置された、前身頃２と後身頃６とを固定するための止着テープ１１を備えていてもよい。本発明のテープ型使い捨ておむつには、いわゆるテープ型使い捨ておむつも含まれる。
【００６１】
止着テープのファスニング部材としては、粘着剤により固定を行う粘着ファスナーであってもよいが、機械的な結合により固定を行うメカニカルファスナー（面状ファスナー）を用いることが好ましい。メカニカルファスナーは、止着力が高いことに加え、複数回の脱着を行っても止着力が低下することがないという利点がある。
【００６２】
例えば、図１Ａ、図１Ｂに示すテープ型使い捨ておむつ１は、ファスニング部材として、メカニカルファスナー４６を用いた例である。止着テープ１１の先端近傍には、フック材４６ａが付設される一方、前身頃２には、ループ材４６ｂからなるフロントパッチ１３が付設されており、フロントパッチ１３に対して、止着テープ１１を止め付けることが可能なように構成されている。
【００６３】
止着テープの数は特に限定されず、着用者の体型（具体的には、ウエスト周り、脚周り等）の寸法に合わせて、適当な数の止着テープを付設すればよい。一般的には、乳幼児用の使い捨ておむつであれば一対（左右１個ずつ）、成人用の使い捨ておむつであれば二対（左右２個ずつ）が付設される。
【００６４】
［２−６］各種伸縮材：
本発明のテープ型使い捨ておむつが使い捨ておむつである場合は、脚周り伸縮材を配置し、ウエスト周り伸縮材を配置することが好ましい。
【００６５】
脚周り伸縮材は、脚周り開口部に沿って配置される伸縮材である。この脚周り伸縮材を配置することによって、脚周り開口部に伸縮性に富むギャザー（レグギャザー）を形成することができる。従って、脚周りに隙間が形成され難くなり、脚周り開口部からの尿漏れを効果的に防止することができる。
【００６６】
例えば、図１Ａ、図１Ｂ、図２Ａ、図２Ｂに示すテープ型使い捨ておむつ１は、おむつの長手方向に沿って、直線的に三本の脚周り伸縮材４０を配置してレグギャザーを形成した例である。この脚周り伸縮材４０は、糸ゴムや平ゴムによって構成される。
【００６７】
脚周り伸縮材４０は、例えば、図１Ａ、図１Ｂに示すテープ型使い捨ておむつ１のように、立体ギャザー２６の起立線４７よりおむつの幅方向外側の部分に、脚周り伸縮材４０が形成されていることが好ましい。このような構成とすると、立体ギャザー２６の十分な防漏効果を確保しつつ、股下部の装用感・装着感を向上させることができる。
【００６８】
ウエスト周り伸縮材は、ウエスト周り開口部に沿って配置される伸縮材である。ウエスト周り伸縮材を配置することによって、ウエスト開口部に伸縮性に富むギャザー（ウエストギャザー）を形成することができる。このウエストギャザーにより、ウエスト周りに隙間が形成され難くなり、ウエスト周りからの尿漏れを防止することができる他、着用者へのおむつのフィット性が良好となり、おむつのずり下がりが防止される。
【００６９】
例えば、図１Ａ、図１Ｂに示すテープ型使い捨ておむつ１は、おむつの後身頃６の端縁に沿って帯状のウエスト周り伸縮材４２を配置した例である。この帯状のウエスト周り伸縮材４２は、ウレタンフォーム等の伸縮性フォームによって構成されている。図示の例では、後身頃（背側）のみにウエスト周り伸縮材４２を配置しているが、前身頃（腹側）にウエスト周り伸縮材を配置してもよい。
【００７０】
これらの伸縮材については、ギャザーの収縮の程度等を勘案した上で、構成材料、その材料の伸長率、固定時の伸長状態等を決定すればよい。
【００７１】
伸縮材としては、従来の使い捨ておむつで使用されてきた伸縮材を好適に用いることができる。具体的には、天然ゴムからなる平ゴムや合成ゴム（ウレタンゴム等）の弾性糸からなる糸ゴムの他、伸縮性ネット、伸縮性フィルム、伸縮性フォーム（ウレタンフォーム等）等を挙げることができる。
【００７２】
伸縮材は、十分な伸縮力を作用させるため、伸長状態で固定することが好ましい。例えば、伸縮材が天然ゴムからなる平ゴムや合成ゴムの弾性糸からなる糸ゴムである場合には、１２０〜４００％の伸長状態で固定することが好ましく、２００〜３００％の伸長状態で固定することがより好ましい。このような範囲の伸長状態で固定することにより、着用者に対して過度の締め付け力を作用させることなく、十分な伸縮力を作用させることが可能となる。
【００７３】
前記のような伸縮材は、おむつの他の構成部材に対して、接着剤その他の手段により固定される。固定方法としては、例えば、ホットメルト接着剤、その他の流動性の高い接着剤を用いた接着であってもよいし、ヒートシールをはじめとする熱や超音波等による溶着であってもよい。
【００７４】
［２−７］伸縮帯：
本発明の伸縮帯は、少なくとも１方向に伸縮可能であり、おむつの幅方向に伸びるように取り付けられる。
伸縮帯５２としては、（Ａ）伸縮素材シートまたは、（Ｂ）伸縮弾性体を伸長状態でシートに固定したもの等を挙げることができる。（Ｂ）伸縮弾性体を伸長状態でシートに固定したものは縮んだ状態で使用される。
【００７５】
具体的な（Ａ）伸縮素材シートの材質としてはエラストマーを不織布で挟持したものや、ウレタンのメルトブローを不織布で貼り合せたものを挙げることができる。
【００７６】
具体的な（Ｂ）伸縮弾性体の材質としては、従来の使い捨ておむつで使用されてきた伸縮材を好適に用いることができ、例えば、ウレタンフォーム等の伸縮性フォーム、伸縮性ネットの他、天然ゴムや合成ゴム（ウレタンゴム等）の弾性材からなる糸ゴム、平ゴム等を挙げることができる。なお、本発明のテープ型使い捨ておむつにおいては、ウレタンフォームから構成された伸縮帯を好適に用いることができる。伸縮帯５２がウレタンフォームである場合には、張力を与えていない状態の長さを基準として１５０〜３５０％の伸長状態であらかじめ固定することが好ましく、２００〜３００％の伸長状態であらかじめ固定することがより好ましい。このような範囲の伸長状態で固定することにより、十分な伸縮力を作用させることが可能となる。
【００７７】
本発明のテープ型使い捨ておむつに用いられる伸縮帯は、切り込み線の両端をおむつの幅方向に伸縮可能とするように、おむつ外面側から伸縮帯固定部において貼付される。図１１に示すように切り込み線５０が複数ある場合であっても近傍にある複数の切り込み線５０よりも大きな幅の伸縮帯５２一つでまとめて伸縮可能に連結することができる。伸縮帯は止着テープ１１に隣接して伸縮性を持ち、使用時に止着テープ１１をフロントシート１３に固定する方法の自由度を高めるものである。
【００７８】
伸縮帯は、十分な伸縮力を作用させるため，切り込み線５０を覆うようにして固定することが好ましい。
【００７９】
このような伸縮帯５２は、切り込み線５０における切断された両端縁部分に対して、接着剤その他の手段により伸縮帯固定部５１において固定される。固定方法としては、例えば、ホットメルト接着剤、その他の流動性の高い接着剤を用いた接着であってもよいし、ヒートシールをはじめとする熱や超音波等による溶着であってもよい。
【００８０】
［３］テープ型使い捨ておむつの製造方法：
以下、本発明のテープ型使い捨ておむつの製造方法を、図１Ａ、図１Ｂ、図２Ａ、図２Ｂ、図１４に示すテープ型使い捨ておむつ１を製造する場合の例で説明する。バックシート２０の材料となる長尺のシート材（バックシート材）の上面に、ウエスト周り伸縮材４２を間欠的に載置する。次に、親水性シートに包まれた吸収体２２を載置する。この際、ウエスト周り伸縮材と吸収体が重ならないように配置する。
【００８１】
また、シート材（バックシート材）の上面の脚周り開口部（着用時に脚を出す開口部）に相当する部位に沿って脚周り伸縮材４０を載置する。
【００８２】
このように、各種伸縮材（ウエスト周り伸縮材４２，脚周り伸縮材４０，ウエスト周り伸縮材４３）と吸収体２２とを載置するとほぼ同時に、その上面にトップシート１８やサイドシート１９の材料となる長尺のシート材（トップシート材）を載置し、おむつの中間体となる積層体（おむつ連続体）を得る。この際、トップシート材は、センターシート１８に相当するトップシート材と、サイドシート１９に相当するトップシート材の２種類が使用される。
【００８３】
サイドシート１９に相当するシート材には折り返し部分を設けることによって、立体ギャザー２６（２６ａ，２６ｂ）が形成されている。サイドシート１９の後身頃６の左右の各側縁６ａ，６ｂに止着テープ１１を付設し、また、バックシート２０のおむつの前身頃２の部分に、ループ材４４ｂからなるフロントパッチ１３が貼付されている。前記のようにして得られたおむつ連続体は、おむつの脚周り形成部に相当する部分を円弧状に切り抜いて切除し（Ｒカット）、脚周り形成部を形成する。上述のおむつ連続体の切り込み線５０に相当する部分に更に所望の切り込み線の形状に応じて切れ目を加える。この切り込み線の両端をバックシート側（おむつの外面側）から覆うようにして、伸縮帯を固定する。この切り込み線が切り欠き形状ではなく線状であるがために余剰な部分がゴミとして発生しないことに加え、製造工程での搬送に伴ってたわみが生じることがない。
【００８４】
次におむつの幅方向でおよそ３等分の位置で、おむつ連続体を幅方向に折り、得られたおむつ連続体を個々のおむつに切断することにより、テープ型使い捨ておむつ１を製造することができる。その際、図１Ｂの腹側端縁には伸縮帯残余部５３及び切り込み線残余部５４が形成される。そして、後身頃には、伸縮帯５２の一方の端縁が、サイドフラップ８の背側端縁６５と一致するように配置されている。
【産業上の利用可能性】
【００８５】
本発明のテープ型使い捨ておむつは、乳幼児用、或いは介護を必要とする高齢者や障害者等の成人用のおむつとして好適に利用することができる。
【図面の簡単な説明】
【００８６】
【図１Ａ】本発明のテープ型使い捨ておむつの一実施形態を示す平面図であり、テープ型使い捨ておむつを展開し、トップシート側（着用時に装着した場合の、おむつの内面側）から見た状態を示す図である。
【図１Ｂ】本発明のテープ型使い捨ておむつの一実施形態を示す平面図であり、テープ型使い捨ておむつを展開し、トップシート側（着用時に装着した場合の、おむつの内面側）から見た状態を示す図である。
【図２Ａ】本発明のテープ型使い捨ておむつの一実施形態を示す図１Ｂ中のＡ−Ａ’断面図である。
【図２Ｂ】本発明のテープ型使い捨ておむつの一実施形態を示す図１Ｂ中のＢ−Ｂ’断面図である。
【図３】本発明のテープ型使い捨ておむつの一実施形態におけるサイドシート側（着用時に装着した場合の、おむつの内面側）から見たサイドフラップを示す一部拡大平面図である。
【図４】本発明のテープ型使い捨ておむつの一実施形態におけるカバーシート側（着用時のおむつの外面側）から見たサイドフラップを示す一部拡大平面図である。
【図５】止着テープを前身頃に固定しながら伸縮帯が伸縮する状態を説明する模式的説明図である。
【図６】切り込み線の一実施形態を示す一部拡大模式的平面図であり、テープ型使い捨ておむつを展開し、トップシート側から見た状態を示す図である。
【図７】切り込み線の一実施形態を示す一部拡大模式的平面図であり、テープ型使い捨ておむつを展開し止着テープに張力を加えて、トップシート側から見た状態を示す図である。
【図８】切り込み線の一実施形態を示す一部拡大模式的平面図であり、テープ型使い捨ておむつを展開し、トップシート側から見た状態を示す図である。
【図９】切り込み線の他の実施形態を示す一部拡大模式的平面図であり、テープ型使い捨ておむつを展開し、バックシート側から見た状態を示す図である。
【図１０】切り込み線の他の実施形態を示す一部拡大模式的平面図であり、テープ型使い捨ておむつを展開し、トップシート側から見た状態を示す図である。
【図１１】切り込み線の他の実施形態を示す一部拡大模式的平面図であり、テープ型使い捨ておむつを展開し、トップシート側から見た状態を示す図である。
【図１２】切り込み線の他の実施形態を示す一部拡大模式的平面図であり、テープ型使い捨ておむつを展開し、トップシート側から見た状態を示す図である。
【図１３】切り込み線の他の実施形態を示す一部拡大模式的平面図であり、テープ型使い捨ておむつを展開し、トップシート側から見た状態を示す図である。
【図１４】本発明のテープ型使い捨ておむつを満腹時および空腹時に着用した状態を示す説明図である。
【図１５】従来のテープ型使い捨ておむつの一の実施形態を示す模式的平面図であり、テープ型使い捨ておむつを展開し、トップシート側から見た状態を示す図である。
【符号の説明】
【００８７】
１：テープ型使い捨ておむつ、２：前身頃、４：股下部、６：後身頃、６ａ，６ｂ：側縁、８，８ａ，８ｂ：サイドフラップ、１１：止着テープ、１３：フロントパッチ，１８：トップシート、１９：サイドシート，２０：バックシート，２２：吸収体，２４：カバーシート，２６，２６ａ，２６ｂ：立体ギャザー，３６：立体ギャザー伸縮材、４０：脚周り伸縮材、４２：ウエスト周り伸縮材、４６：メカニカルファスナー、４６ａ：フック材、４６ｂ：ループ材、４７：起立線、５０：切り込み線、５１：伸縮帯固定部、５２：伸縮帯、５３：伸縮帯残余部、５４：切り込み線残余部、６０：脚、６１：満腹時腹部、６２：空腹時腹部、６５：背側端縁、６６：腹側端縁、６８，６８ａ，６８ｂ：脚側端縁。
【図１Ａ】
2010035726.tif 000003
【図１Ｂ】
2010035726.tif 000004
【図２Ａ】
2010035726.tif 000005
【図２Ｂ】
2010035726.tif 000006
【図３】
2010035726.tif 000007
【図４】
2010035726.tif 000008
【図５】
2010035726.tif 000009
【図６】
2010035726.tif 000010
【図７】
2010035726.tif 000011
【図８】
2010035726.tif 000012
【図９】
2010035726.tif 000013
【図１０】
2010035726.tif 000014
【図１１】
2010035726.tif 000015
【図１２】
2010035726.tif 000016
【図１３】
2010035726.tif 000017
【図１４】
2010035726.tif 000018
【図１５】
2010035726.tif 000019